【事件の表示】
　特願２００６−１０１４２０「データ処理装置」拒絶査定不服審判事件〔平成１９年１０月２５日出願公開、特開２００７−２７９７８７〕について、次のとおり審決する。
【結　論】
　本件審判の請求は、成り立たない。
【理　由】
１．出願の経緯
　本願は、平成１８年４月３日の出願であって、平成２３年３月１５日付け拒絶理由の通知に対して、平成２３年５月２３日付けで手続補正がなされたが、平成２３年６月３日付けで拒絶査定がなされ、これに対し、平成２３年８月２３日に拒絶査定不服の審判が請求されるとともに、同時に手続補正がなされ、平成２４年８月１７日付けで平成２３年８月２３日付け手続補正が補正却下されるとともに、同日付けで拒絶理由が通知され、平成２４年１０月２２日付けで手続補正がなされ、平成２４年１２月１１日付けで拒絶理由が通知され、平成２５年２月１８日付けで手続補正がなされたものである。 
 　 
２．本願発明について
　本願の請求項１に係る発明（以下、「本願発明」という。）は、平成２５年２月１８日付け手続補正書の特許請求の範囲の請求項１に記載された事項により特定される、以下のとおりのものである。 
「【請求項１】
　データ処理を行うデータ処理装置であって、
　外部装置と通信を行い、データの転送を行う通信部と、該データ処理装置で使用されるデータを記録した記録媒体の挿入口とを有する装置本体と、
　前記装置本体の有する前記通信部と前記挿入口とを覆うカバー部と、
　前記記録媒体の挿入又は排出の要求、及び、前記外部装置との前記データの転送の要求をユーザから受け付ける入力部と、
　前記カバー部が前記通信部と前記挿入口を覆うクローズ状態のとき、前記入力部が受け付けた前記ユーザからの要求が、前記記録媒体の挿入又は排出の要求であるか、或いは前記外部装置とのデータの転送の要求であるのかを判定するオープン状態制御手段と、
　を備え、
　前記オープン状態制御手段は、
　前記ユーザからの要求が前記記録媒体の挿入又は排出の要求であると判定した場合、前記挿入口と前記通信部とのうち該挿入口のみが露出されると共に前記通信部が覆われることで該ユーザの該通信部へのアクセスを制限することにより該通信部を介した前記外部装置とのデータの転送が制限される第一オープン状態に前記カバー部を移行させ、かつ、
　前記ユーザからの要求が前記外部装置とのデータの転送の要求であると判定した場合、前記挿入口および前記通信部が露出され該通信部を介した前記外部装置とのデータの転送が可能となる第二オープン状態に前記カバー部を移行させることを特徴とするデータ処理装置。」 
 　 
３．引用例
　当審の拒絶理由で引用した本願の出願日前に頒布された刊行物である、特開２００５−３８４８７号公報（以下、「引用例１」という。）には、図面とともに、次の技術事項が記載されている。 
ａ）「【０００８】 
車載情報装置１は、本体部１００と、本体部１００に対して倒立可能に傾動するモニタ部２００とを有する。本体部１００には、ＣＤおよびＤＶＤに記録された情報を読み込むためのＣＤ／ＤＶＤ読み取り装置１１０と、
メモリカードとの間で各種の情報をやりとりするためのメモリカードリーダライタ１３０と制御回路１４５とが設けられている
【０００９】 
これら
各装置１１０〜１３０は、情報の記録媒体であるそれぞれのメディアを各装置１１０〜１３０に挿脱するための挿入排出口１１１、１２１，１３１を有する
各挿入排出口１１１，１２１，１３１は、本体部１００の前面であって、起立して本体部１００に収納されたモニタ部２００によって覆われる位置に配置されている
各メディアを挿脱するためには、モニタ部２００を傾動させて、各挿入排出口１１１，１２１，１３１を露出させなければならない
制御回路１４５は、後述するように、チルト／エジェクトボタンの押圧状態を判断してモニタ部２００を所定の角度位置まで傾動させる
【００１０】 
１０１は、本体部１００の上部前面に設けられたチルト／エジェクトボタンである
【００１１】 
モニタ部２００は、モニタ２０１と
を備えている
モニタ２０１には、ＣＤ／ＤＶＤ読み取り装置１１０でＣＤまたはＤＶＤから読み取った情報などが適宜表示される
　 
ｂ）「【００１５】 
モニタ部２００が本体部１００に収納された状態（図２）から本体部１００に対して略９０度傾動された角度位置（図５）まで傾動することで、各装置１１０〜１３０へのメディアの挿脱が可能になる。たとえば図２に示した
モニタ部２００の収納状態からモニタ部２００が図３の姿勢まで傾動されると、モニタ部２００の上部がＣＤ／ＤＶＤ読み取り装置１１０の挿入排出口１１１より下に下がる
車載情報装置１の正面にＣＤ／ＤＶＤ読み取り装置１１０の挿入排出口１１１が露出しているので、ＣＤ／ＤＶＤ読み取り装置１１０に対してＣＤまたはＤＶＤの挿脱が可能となる
【００１６】 
図３，６に示した状態からモニタ部２００が図４の姿勢まで傾動されると、モニタ部２００の上部がＭＤ録再装置１２０の挿入排出口１２１より下に下がる。図４に示した車載情報装置１を正面から見た状態を図７に示す。図７に示すように、車載情報装置１の正面にＭＤ録再装置１２０の挿入排出口１２１が露出しているので、ＭＤ録再装置１２０に対してＭＤの挿脱が可能となる。 
【００１７】 
図４，７に示した状態から
モニタ部２００が図５の姿勢まで傾動されると、モニタ部２００の上部がメモリカードリーダライタ１３０の挿入排出口１３１より下に下がる
車載情報装置１の正面にメモリカードリーダライタ１３０の挿入排出口１３１が露出しているので、メモリカードリーダライタ１３０に対してメモリカードの挿脱が可能となる
【００１８】 
―――メディアの排出――― 
図９は、各装置１１０〜１３０に挿入されているメディアを排出する動作を示すフローチャートである。車両から車載情報装置１に電源が供給され、チルト／エジェクトボタン１０１が押圧されると、
制御回路１４５において、
【００１９】 
ステップＳ３において、
チルト／エジェクトボタン１０１が短押しされた回数から、排出が指示されたメディアを判断する。チルト／エジェクトボタン１０１が短押しされた回数が１回であれば、ＣＤ／ＤＶＤ読み取り装置１１０に挿入されたメディアの排出が指示されたものと判断する
チルト／エジェクトボタン１０１が短押しされた回数が３回であれば、メモリカードリーダライタ１３０に挿入されたメディアの排出が指示されたものと判断する
【００２０】 
ステップＳ３で、
チルト／エジェクトボタン１０１が短押しされた回数から排出が指示されたメディアが判断される
 　 
ｃ）図３及び図６に、挿入排出口１１１のみが露出し、挿入排出口１２１，１３１が覆われた状態にモニタ部２００が傾動された図が、図５及び図８に、挿入排出口１１１，１２１，１３１が露出された状態にモニタ部２００が傾動された状態が図示されている。
　 
　上記引用例１記載の事項及び図面より、引用例１には以下の発明（以下、「引用例１記載の発明」という。）が記載されていると認められる。 
　「車載情報装置１は、本体部１００と、本体部１００に対して倒立可能に傾動するモニタ部２００とを有し、本体部１００には、ＣＤおよびＤＶＤに記録された情報を読み込むためのＣＤ／ＤＶＤ読み取り装置１１０と、メモリカードとの間で各種の情報をやりとりするためのメモリカードリーダライタ１３０と、制御回路１４５とが設けられており、各装置１１０，１３０は、情報の記録媒体であるそれぞれのメディアを各装置１１０，１３０に挿脱するための挿入排出口１１１，１３１を有し、各挿入排出口１１１，１３１は、本体部１００の前面であって、起立して本体部１００に収納されたモニタ部２００によって覆われる位置に配置され、各メディアを挿脱するためには、モニタ部２００を傾動させて、各挿入排出口１１１，１３１を露出させなければならず、制御回路１４５は、チルト／エジェクトボタンの押圧状態を判断してモニタ部２００を所定の角度位置まで傾動させる車載情報装置であって、 
本体部１００の上部前面に設けられたチルト／エジェクトボタン１０１を有し、モニタ部２００は、モニタ２０１を備え、モニタ２０１には、ＣＤ／ＤＶＤ読み取り装置１１０でＣＤまたはＤＶＤから読み取った情報などが適宜表示され、 
制御回路１４５において、チルト／エジェクトボタン１０１が短押しされた回数から、排出が指示されたメディアを判断し、 
チルト／エジェクトボタン１０１が短押しされた回数が１回であれば、ＣＤ／ＤＶＤ読み取り装置１１０に挿入されたメディアの排出が指示されたものと判断し、モニタ部２００の収納状態からモニタ部２００が図３の姿勢まで傾動されると、モニタ部２００の上部がＣＤ／ＤＶＤ読み取り装置１１０の挿入排出口１１１より下に下がり、車載情報装置１の正面にＣＤ／ＤＶＤ読み取り装置１１０の挿入排出口１１１が露出しているので、ＣＤ／ＤＶＤ読み取り装置１１０に対してＣＤまたはＤＶＤの排出が可能となり、 
チルト／エジェクトボタン１０１が短押しされた回数が３回であれば、メモリカードリーダライタ１３０に挿入されたメディアの排出が指示されたものと判断し、モニタ部２００が図５の姿勢まで傾動されると、モニタ部２００の上部がメモリカードリーダライタ１３０の挿入排出口１３１より下に下がり、車載情報装置１の正面にメモリカードリーダライタ１３０の挿入排出口１３１が露出しているので、メモリカードリーダライタ１３０に対してメモリカードの排出が可能となる、 
車載情報装置１。」 
 　 
　当審の拒絶理由で引用した本願の出願日前に頒布された刊行物である、特開２００３−７２４７７号公報（以下、「引用例２」という。）には、図面とともに、次の技術事項が記載されている。 
ｄ）「【０００２】 
【従来の技術】従来から、車載オーディオシステム等にスライド開閉式の電動パネルが使われている。当該電動パネルには、ユーザの各種操作を介する操作部、ユーザへ各種情報を表示する表示部等を備える。 
【０００３】前記車載オーディオシステムとしては例えば、ＣＤ（Compact Disc）、ＭＤ（Mini Disc）等の挿入口の前部に電動パネルが設置され、普段は、前記挿入部を隠すように前記電動パネルをクローズし、ＣＤ、ＭＤ等の入替え時等に前記電動パネルをオープンさせて、前記挿入口を露出する構成である。電動パネルは、電動パネル上のパネル開閉ボタンを押下することによりオープン又はクローズする。電動パネルをクローズするときに隠す部分は、ＣＤ、ＭＤ等の挿入口以外にも、各種外部機器と接続を行うコードのコネクタが設置されるものもあった。 
【０００４】これは例えば、車載機器であるカーオーディオやコンソールに付けられるナビゲーション等にＨＤＤ（Hard Disk Drive）等の大容量な記録媒体を搭載するとき、当該大容量の記録媒体への情報の転送方法が問題となっており、ＣＤ−Ｒ（Compact Disk-Recordable）、ＭＯ（magneto-optic）等のメディアを使用すると、転送すること自体が煩雑になる。そこで、ノートパソコン等の外部機器から直接にカーオーディオ等の車載機器に情報を伝送することが求められていたからである。」（【０００２】〜【０００４】の記載。） 
 　 
４．対比
　次に、本願発明を引用例１記載の発明と比較する。 
　引用例１記載の発明の「車載情報装置１」は「本体部１００と、本体部１００に対して倒立可能に傾動するモニタ部２００とを有」し、「本体部１００には、ＣＤおよびＤＶＤに記録された情報を読み込むためのＣＤ／ＤＶＤ読み取り装置１１０」等を有し、モニタ部２００に備えられた「モニタ２０１には、ＣＤ／ＤＶＤ読み取り装置１１０でＣＤまたはＤＶＤから読み取った情報などが適宜表示される」ものであるから、引用例１記載の発明の「車載情報装置１」は本願発明の「データ処理を行うデータ処理装置」に相当する。
　引用例１記載の発明の「ＣＤおよびＤＶＤ」は本願発明の「データ処理装置で使用されるデータを記録した記録媒体」に相当し、引用例１記載の発明の「挿入排出口１１１」は、本願発明の「データ処理装置で使用されるデータを記録した記録媒体の挿入口」に相当する。
　また、引用例１記載の発明の「メモリカードとの間で各種の情報をやりとりするためのメモリカードリーダライタ１３０」は、メモリカードと通信を行いデータの転送を行う通信装置であって、「メモリカードリーダライタ１３０の挿入排出口１３１」は、メモリカードを差し込む受け口であるから、引用文献１記載の発明の「メモリカードリーダライタ１３０の挿入排出口１３１」は、本願発明の「外部装置と通信を行い、データの転送を行う通信部」と、「データの転送を行う通信装置の一部」である点で共通する。
　したがって、引用例１記載の発明の「本体部１００」は、本願発明の「外部装置と通信を行い、データの転送を行う通信部と、該データ処理装置で使用されるデータを記録した記録媒体の挿入口とを有する装置本体」と、「データの転送を行う通信装置の一部と、該データ処理装置で使用されるデータを記録した記録媒体の挿入口とを有する装置本体」である点で共通する。 
　 
　引用例１記載の発明は「各挿入排出口１１１，１３１は、本体部１００の前面であって、起立して本体部１００に収納されたモニタ部２００によって覆われる」ものであるから、引用例１記載の発明の「モニタ部２００」は、本願発明の「前記装置本体の有する前記通信部と前記挿入口とを覆うカバー部」と、「装置本体の有する前記データの転送を行う通信装置の一部と前記挿入口とを覆うカバー部」である点で共通する。 
　 
　引用例１記載の発明は「チルト／エジェクトボタン１０１が短押しされた回数が１回であれば、ＣＤ／ＤＶＤ読み取り装置１１０に挿入されたメディアの排出が指示されたものと判断」するものであるから、引用例１記載の発明の「チルト／エジェクトボタン１０１」は、本願発明の「前記記録媒体の挿入又は排出の要求」「をユーザから受け付ける入力部」に相当する。
　また、引用例１記載の発明は「チルト／エジェクトボタン１０１が短押しされた回数が３回であれば、メモリーカードリーダライタ１３０に挿入されたメディアの排出が指示されたものと判断する」ものであり、「メモリーカードリーダライタ１３０に挿入されたメディアの排出」の指示は、データの転送を行う通信装置の操作の要求であるといえるから、引用例１記載の発明の「チルト／エジェクトボタン１０１」は、本願発明の「前記外部装置との前記データの転送の要求をユーザから受け付ける入力部」と、「データの転送を行う通信装置の操作の要求をユーザから受け付ける入力部」である点で共通する。
　したがって、引用例１記載の発明の「チルト／エジェクトボタン１０１」は、本願発明の「前記記録媒体の挿入又は排出の要求、及び、前記外部装置との前記データの転送の要求をユーザから受け付ける入力部」と、「前記記録媒体の挿入又は排出の要求、及び、前記データの転送を行う通信装置の操作の要求をユーザから受け付ける入力部」である点で共通する。
　
　引用例１記載の発明は、「各挿入排出口１１１，１３１は、本体部１００の前面であって、起立して本体部１００に収納されたモニタ部２００によって覆われる位置に配置され」「各メディアを挿抜するためには、モニタ部２００を傾動させて、各挿入排出口１１１，１３１を露出させなければならない」ものであり、「制御回路１４５」は、「チルト／エジェクトボタン１０１が短押しされた回数から、排出が指示されたメディアを判断」し、「チルト／エジェクトボタンの押圧状態を判断してモニタ部２００を所定位置まで傾動させる」ものであり、例えば、「チルト／エジェクトボタン１０１が短押しされた回数が１回であれば、ＣＤ／ＤＶＤ読み取り装置１１０に挿入されたメディアの排出が指示されたものと判断」し、「チルト／エジェクトボタン１０１が短押しされた回数が３回であれば、メモリカードリーダライタ１３０に挿入されたメディアの排出が指示されたものと判断」するものであるから、引用例１記載の発明の「制御装置１４５」は、モニタ部２００が本体部１００の前面を覆う収納状態のとき、チルト／エジェクトボタン１０１の押圧状態を判断して、該押圧状態がＣＤ／ＤＶＤの排出の指示であるか、或いは、該押圧状態が、データの転送を行う通信装置の操作であるメモリカードの排出の指示であるかを判断するものである。 
　したがって、引用例１記載の発明の「制御回路１４５」は本願発明の「前記カバー部が前記通信部と前記挿入口を覆うクローズ状態のとき、前記入力部が受け付けた前記ユーザからの要求が、前記記録媒体の挿入又は排出の要求であるか、或いは前記外部装置とのデータの転送の要求であるのかを判定するオープン状態制御手段」と「前記カバー部が前記データの転送を行う通信装置の一部と前記挿入口を覆うクローズ状態のとき、前記入力部が受け付けた前記ユーザからの要求が、前記記録媒体の挿入又は排出の要求であるか、或いは前記データの転送を行う通信装置の操作の要求であるのかを判定するオープン状態制御手段」である点で共通している。
　 
　また、引用例１記載の発明の「制御回路１４５」は、「チルト／エジェクトボタン１０１が短押しされた回数が１回であれば、ＣＤ／ＤＶＤ読み取り装置１１０に挿入されたメディアの排出が指示されたものと判断」し、「モニタ部２００の収納状態からモニタ部２００が図３の姿勢まで傾動され」「モニタ部２００の上部がＣＤ／ＤＶＤ読み取り装置１１０の挿入排出口１１１より下に下がる」ものであり、図３の姿勢においては、挿入排出口１１１のみが露出し、他の挿入排出口１３１はモニタ部２００に覆われておりユーザの該他の挿入排出口へのアクセスが制限されていることは、図３及び図６より明らかであるから、引用例１記載の発明の「制御回路１４５」は本願発明の「前記オープン状態制御手段は、 
　前記ユーザからの要求が前記記録媒体の挿入又は排出の要求であると判定した場合、前記挿入口と前記通信部とのうち該挿入口のみが露出されると共に前記通信部が覆われることで該ユーザの該通信部へのアクセスを制限することにより該通信部を介した前記外部装置とのデータの転送が制限される第一オープン状態に前記カバー部を移行させ」ることと、「前記オープン状態制御手段は、 
　前記ユーザからの要求が前記記録媒体の挿入又は排出の要求であると判定した場合、前記挿入口と前記データの転送を行う通信装置の一部とのうち該挿入口のみが露出されると共に前記データの転送を行う通信装置の一部が覆われることで該ユーザの該データの転送を行う通信装置の一部へのアクセスを制限することにより該データの転送を行う通信装置の一部を介した前記データの転送を行う通信装置の操作が制限される第一オープン状態に前記カバー部を移行させ」る点で共通している。 
　 
　更に、引用例１記載の発明の「制御回路１４５」は、「チルト／エジェクトボタン１０１が短押しされた回数が３回であれば、メモリカードリーダライタ１３０に挿入されたメディアの排出が指示されたものと判断」し、「モニタ部２００が図５の姿勢まで傾動され」「モニタ部２００の上部がメモリカードリーダライタ１３０の挿入排出口１３１より下に下がる」ことにより「メモリカードリーダライタ１３０の挿入排出口１３１が露出しているので、メモリカードリーダライタ１３０に対してメモリカードの排出が可能となる」ものであるから、引用例１記載の発明の「制御回路１４５」は本願発明の「前記ユーザからの要求が前記外部装置とのデータの転送の要求であると判定した場合、前記挿入口および前記通信部が露出され該通信部を介した前記外部装置とのデータの転送が可能となる第二オープン状態に前記カバー部を移行させる」ことと、「前記ユーザからの要求が前記データの転送を行う通信装置の操作の要求であると判定した場合、前記挿入口および前記データの転送を行う通信装置の一部が露出され該データの転送を行う通信装置の一部を介した前記データの転送を行う通信装置の操作が可能となる第二オープン状態に前記カバー部を移行させる」点で共通している。 
　 
　したがって両者は、 
　「データ処理を行うデータ処理装置であって、
　データの転送を行う通信装置の一部と、該データ処理装置で使用されるデータを記録した記録媒体の挿入口とを有する装置本体と、 
　前記装置本体の有する前記データの転送を行う通信装置の一部と前記挿入口とを覆うカバー部と、 
　前記記録媒体の挿入又は排出の要求、及び、データの転送を行う通信装置の操作の要求をユーザから受け付ける入力部と、 
　前記カバー部が前記データの転送を行う通信装置の一部と前記挿入口を覆うクローズ状態のとき、前記入力部が受け付けた前記ユーザからの要求が、前記記録媒体の挿入又は排出の要求であるか、或いは前記データの転送を行う通信装置の操作の要求であるのかを判定するオープン状態制御手段と、 
　を備え、 
　前記オープン状態制御手段は、 
　前記ユーザからの要求が前記記録媒体の挿入又は排出の要求であると判定した場合、前記挿入口と前記データの転送を行う通信装置の一部とのうち該挿入口のみが露出されると共に前記データの転送を行う通信装置の一部が覆われることで該ユーザの該データの転送を行う通信装置の一部へのアクセスを制限することにより該データの転送を行う通信装置の一部を介した前記データの転送を行う通信装置の操作が制限される第一オープン状態に前記カバー部を移行させ、かつ、 
　前記ユーザからの要求が前記データの転送を行う通信装置の操作の要求であると判定した場合、前記挿入口および前記データの転送を行う通信装置の一部が露出され該データの転送を行う通信装置の一部を介した前記データの転送を行う通信装置の操作が可能となる第二オープン状態に前記カバー部を移行させることを特徴とするデータ処理装置。」 
で一致し、次の点で相違する。 
 　 
［相違点］ 
　本願発明は、データの転送を行う通信装置の一部が、「外部装置と通信を行い、データの転送を行う通信部」であり、データの転送を行う通信装置の操作が、「前記外部装置とのデータの転送」であるのに対し、引用例１記載の発明では、データの転送を行う通信装置の一部は、「メモリカードリーダライタ１３０の挿入排出口１３１」であり、データの転送を行う通信装置の操作は、「メモリカードの排出」である点。
　
５．当審の判断
　
［相違点について］
　本願の明細書には、「前記通信部は、前記外部装置と有線で通信を行うための端子であってもよい。即ち、データ処理装置と外部装置とは、通信部とそれに繋がる有線を介して、データの転送が行われる。」（【００１６】）と記載されており、本願発明の「外部装置と通信を行い、データの転送を行う通信部」は、外部装置と接続を行うコードのコネクタを含むものであり、本願発明の「前記外部装置とのデータの転送」は、コネクタにコードを差込み外部装置とのデータの転送を行うことを含むものであると解される。
　引用例２には、電動でスライド開閉する電動パネルを具備する車載オーディオ機器において、ＣＤを挿入し再生して音信号を出力するＣＤ部と外部機器と接続を行うコードのコネクタを設置し、外部機器から車載機器に情報を伝送する技術、すなわち、車載機器に、外部機器と通信を行いデータの転送を行うコネクタを設置し、該コネクタにコードを差込み外部機器と接続しデータの転送を行うことが記載されている。 
　そして、引用例１記載の発明の「メモリカードリーダライタ１３０の挿入排出口１３１」は、データの転送を行う通信装置の一部であるから、上記引用例１記載の発明に上記引用例２に記載された発明を適用して、メモリカードリーダライタの挿入排出口に代え外部機器と接続を行うコードのコネクタを設け、該コネクタにコードを差込み外部機器とのデータの転送を行い本願発明の構成を得ることは、当業者が容易になし得たことである。
　
　そして、本願発明のように構成したことによる効果も引用例１記載の発明及び引用例２に記載された発明から予測できる程度のものであって、格別なものではない。 
　 
６．むすび
　以上のとおり、本願発明は、引用例１に記載された発明及び引用例２に記載された発明に基づいて当業者が容易に発明をすることができたものであるから、特許法第２９条第２項の規定により特許を受けることができない。
　よって、結論のとおり審決する。